(57)【要約】【課題】光ファイバ収納トレイを分離することなく引き出すことが可能であり、部品点数が少なく低コストで作業性の高い光ファイバ収納トレイユニットを提供する。【解決手段】光ファイバ収納トレイ１１０をユニット筐体１０１に係止させるために、光ファイバ収納トレイ１１０の左右両端に係止部１１１を設けている。係止部１１１は、短辺に沿って所定幅で光ファイバ収納トレイ１１０の厚さ方向に貫通させた長孔１１２を有している。一方、ユニット筐体１０１には、光ファイバ収納トレイ１１０と直交する方向に２本の係止片１０２を備えている。２本の係止片１０２は、光ファイバ収納トレイ１１０に設けられた左右の長孔１１２をそれぞれ貫通しており、それぞれの両端がユニット筐体１０１に固定されている。【選択図】図１
2008180806.tif 000002
【特許請求の範囲】
【請求項１】
２枚以上の矩形状又は略矩形状の光ファイバ収納トレイをユニット筐体内に挿抜可能に収納する光ファイバ収納トレイユニットであって、
前記ユニット筐体に固定されて前記光ファイバ収納トレイを係止する係止片と、
前記光ファイバ収納トレイの対向する２辺に沿ってそれぞれ厚さ方向に貫通する長孔が形成された係止部と、を備え、
前記係止片を前記長孔に貫通させることで前記光ファイバ収納トレイを前記ユニット筐体に係止している
ことを特徴とする光ファイバ収納トレイユニット。
【請求項２】
前記長孔は、前記光ファイバ収納トレイの全面または略全面を引き出し可能な長さに形成されている
ことを特徴とする請求項１に記載の光ファイバ収納トレイユニット。
【請求項３】
前記係止片は、収納されている全ての前記光ファイバ収納トレイの前記長孔を貫通している
ことを特徴とする請求項１又は請求項２に記載の光ファイバ収納トレイユニット。
【請求項４】
前記係止部は、前記光ファイバ収納トレイと一体に形成されている
ことを特徴とする請求項１から請求項３のいずれか１項に記載の光ファイバ収納トレイユニット。
【請求項５】
前記係止部は、前記光ファイバ収納トレイの本体に固定された本体側係止部と、前記本体側係止部に係止されて前記対向する２辺に平行に移動可能なスライド部とから構成され、
前記長孔が前記スライド部に形成され、
前記スライド部が前記係止片に係止されて移動し、さらに前記本体側係止部が前記スライド部に係止されて移動することで、前記光ファイバ収納トレイが全面引き出し可能となるよう形成されている
ことを特徴とする請求項１から請求項３のいずれか１項に記載の光ファイバ収納トレイユニット。
【請求項６】
前記本体側係止部は、前記光ファイバ収納トレイ本体の前記対向する２辺の側面から突出させた本体側突起部材で形成され、
前記スライド部には、前記本体側突起部材を挿入可能にスライド部側溝部が穿設されている
ことを特徴とする請求項５に記載の光ファイバ収納トレイユニット。
【請求項７】
前記本体側係止部は、前記光ファイバ収納トレイ本体の前記スライド部に隣接する側面に穿設された本体側溝部で形成され、
前記スライド部は、前記光ファイバ収納トレイ本体側に突出したスライド部側突起部材を備え、
前記スライド部側突起部材が前記本体側溝部に移動可能に挿入されている
ことを特徴とする請求項５に記載の光ファイバ収納トレイユニット。
【請求項８】
前記スライド部側突起部材は、断面が円形に形成されて前記本体側溝部に挿入されており、
前記光ファイバ収納トレイ本体は、全面引き出しされたときに前記スライド部側突起部材を軸に回転可能となる
ことを特徴とする請求項６または７に記載の光ファイバ収納トレイユニット。
【請求項９】
２枚以上の矩形状又は略矩形状の光ファイバ収納トレイをユニット筐体内に挿抜可能に収納する光ファイバ収納トレイユニットから前記光ファイバ収納トレイを取り出す光ファイバ収納トレイ取り出し方法であって、
前記ユニット筐体には前記光ファイバ収納トレイを係止する係止片が備えられ、前記光ファイバ収納トレイには引き出し方向に穿設された本体側溝部と、前記本体側溝部に係止されて取り出し方向に移動可能なスライド部とが設けられており、前記スライド部には前記本体側溝部と係止する断面が円形形状のスライド部側突起部材と前記光ファイバ収納トレイの厚さ方向に貫通して前記係止片に係止され前記引き出し方向に長い長孔とが設けられており、
前記本体側溝部を前記スライド部に係止させて移動させ、さらに前記スライド部を前記係止片に係止させて移動させることで、前記光ファイバ収納トレイを全面引き出しし、さらに前記スライド部側突起部材を軸に略９０度回転させて前記引き出しの方向とは略９０度の角度をなす方向に移動させる
ことを特徴とする光ファイバ収納トレイ取り出し方法。
【発明の詳細な説明】
【技術分野】
【０００１】
本発明は、光ファイバ相互の接続部および余長分を収納する光ファイバ収納トレイを複数備えた光ファイバ収納トレイユニットに関するものである。
【背景技術】
【０００２】
従来より、光ファイバケーブルの接続には、光ファイバケーブル用クロージャが用いられている。光ファイバケーブル用クロージャは、外部から光ファイバケーブルを導入し、このケーブルから光ファイバを引き出して相互に接続し、これを収納する構造を有している。この光ファイバの接続部及び余長分の収納に光ファイバ収納トレイが用いられており、これを複数枚収納可能な光ファイバ収納トレイユニットが光ファイバケーブル用クロージャの内部に備えられている。
【０００３】
従来の光ファイバ収納トレイユニットの１例を図７に示す。光ファイバ収納トレイユニット９００は、図７（ａ）の斜視図に示すように、光ファイバ収納トレイ９０１を複数枚収納可能な構造を有している。図７（ｂ）の側面図に示すように、ユニット筐体９０２の底部９０３には、収納可能な光ファイバ収納トレイ９０１の枚数に応じた数のピン９０４が、所定の間隔で立設されている。
【０００４】
図７（ｃ）に１枚の光ファイバ収納トレイ９０１の斜視図を示すが、光ファイバ収納トレイ９０１の側面には凸部９０５が形成されており、凸部９０５が隣接する２本のピン９０４の間に挟まれるようにして光ファイバ収納トレイユニット９００に収納されることで、複数の光ファイバ収納トレイ９０１がほぼ等間隔に並立して収納される。
【０００５】
このような構造の光ファイバ収納トレイユニット９００で光ファイバの接続作業を行うときには、対象の光ファイバ収納トレイ９０１をユニット筐体９０２から引抜き、これを適当な場所で開放して作業を行う。例えば、図８に示すように、ユニット筐体９０２の上に作業台９０６を載置し、その上に光ファイバ収納トレイ９０１を置いて作業を行うようにしている。
【０００６】
従来の光ファイバ収納トレイユニットの別の例を図９に示す。同図では、（ａ）に光ファイバ収納トレイユニット９１０の側面図を、（ｂ）に正面図を、それぞれ示している。光ファイバ収納トレイユニット９１０は、特許文献１に開示されているものであり、光ファイバ収納トレイ９１１をユニット筐体９１２から引き出すためのレール９１３を光ファイバ収納トレイ９１１毎に設けている。光ファイバ収納トレイ９１１をレール９１３とともに引き出したのち、所定の角度だけ回転させて固定できる構造となっている。
【特許文献１】特開２００３−１４９４５８号公報
【発明の開示】
【発明が解決しようとする課題】
【０００７】
しかしながら、従来の光ファイバ収納トレイユニットでは、以下のような課題があった。
【０００８】
図７に示した光ファイバ収納トレイユニット９００では、光ファイバ収納トレイ９０１をユニット筐体９０２から引き出したとき、光ファイバ収納トレイ９０１がユニット筐体９０２から分離された状態になってしまう。そのため、引き出した光ファイバ収納トレイ９０１をユニット筐体９０２から大きく引き離してしまうことが考えられるが、その場合には当該光ファイバ収納トレイ９０１に導入配線されている光ファイバに大きな張力を加えてしまう恐れがあり、この光ファイバの伝送損失に影響を与えてしまう恐れがあった。
【０００９】
また、光ファイバ収納トレイ９０１をユニット筐体９０２から分離した状態では、誤って落下させてしまったり、これに導入配線されている光ファイバを断線させる、あるいは傷付けてしまうといった危険性も高かった。
【００１０】
さらに、光ファイバ収納トレイ９０１がユニット筐体９０２から分離されてしまうため、光ファイバ収納トレイ９０１を開放して作業を行うためには、図８のような作業台が必要となった。この作業台は、ユニット筐体９０２に収納された光ファイバ収納トレイ９０１を固定するためにも必要であった。
【００１１】
一方、図９に示すような光ファイバ収納トレイユニット９１０では、光ファイバ収納トレイ９１１を載置するための支持板９１４、光ファイバ収納トレイ９１１を引き出すためのレール９１３、光ファイバ収納トレイ９１１を回転させるための軸部材９１５等の多数の部材を光ファイバ収納トレイ９１１毎に設ける必要があるため、構造が複雑になるとともに、高コストでもあった。
【００１２】
そこで、本発明はこれらの問題を解決するためになされたものであり、光ファイバ収納トレイを分離することなく引き出すことが可能であり、部品点数が少なく低コストで作業性の高い光ファイバ収納トレイユニットを提供することを目的とする。
【課題を解決するための手段】
【００１３】
本発明の光ファイバ収納トレイユニットの第１の態様は、２枚以上の矩形状又は略矩形状の光ファイバ収納トレイをユニット筐体内に挿抜可能に収納する光ファイバ収納トレイユニットであって、前記ユニット筐体に固定されて前記光ファイバ収納トレイを係止する係止片と、前記光ファイバ収納トレイの対向する２辺に沿ってそれぞれ厚さ方向に貫通する長孔が形成された係止部と、を備え、前記係止片を前記長孔に貫通させることで前記光ファイバ収納トレイを前記ユニット筐体に係止していることを特徴とする。
【００１４】
本発明の光ファイバ収納トレイユニットの他の態様は、前記長孔は、前記光ファイバ収納トレイの全面または略全面を引き出し可能な長さに形成されていることを特徴とする。
【００１５】
本発明の光ファイバ収納トレイユニットの他の態様は、前記係止片は、収納されている全ての前記光ファイバ収納トレイの前記長孔を貫通していることを特徴とする。
【００１６】
本発明の光ファイバ収納トレイユニットの他の態様は、前記係止部は、前記光ファイバ収納トレイと一体に形成されていることを特徴とする。
【００１７】
本発明の光ファイバ収納トレイユニットの他の態様は、前記係止部は、前記光ファイバ収納トレイの本体に固定された本体側係止部と、前記本体側係止部に係止されて前記対向する２辺に平行に移動可能なスライド部とから構成され、前記長孔が前記スライド部に形成され、前記スライド部が前記係止片に係止されて移動し、さらに前記本体側係止部が前記スライド部に係止されて移動することで、前記光ファイバ収納トレイが全面引き出し可能となるよう形成されていることを特徴とする。
【００１８】
本発明の光ファイバ収納トレイユニットの他の態様は、前記本体側係止部は、前記光ファイバ収納トレイ本体の前記対向する２辺の側面から突出させた本体側突起部材で形成され、前記スライド部には、前記本体側突起部材を挿入可能にスライド部側溝部が穿設されていることを特徴とする。
【００１９】
本発明の光ファイバ収納トレイユニットの他の態様は、前記本体側係止部は、前記光ファイバ収納トレイ本体の前記スライド部に隣接する側面に穿設された本体側溝部で形成され、前記スライド部は、前記光ファイバ収納トレイ本体側に突出したスライド部側突起部材を備え、前記スライド部側突起部材が前記本体側溝部に移動可能に挿入されていることを特徴とする。
【００２０】
本発明の光ファイバ収納トレイユニットの他の態様は、前記スライド部側突起部材は、断面が円形に形成されて前記本体側溝部に挿入されており、前記光ファイバ収納トレイ本体は、全面引き出しされたときに前記スライド部側突起部材を軸に回転可能となることを特徴とする。
【００２１】
本発明の光ファイバ収納トレイ取り出し方法の第１の態様は、２枚以上の矩形状又は略矩形状の光ファイバ収納トレイをユニット筐体内に挿抜可能に収納する光ファイバ収納トレイユニットから前記光ファイバ収納トレイを取り出す光ファイバ収納トレイ取り出し方法であって、前記ユニット筐体には前記光ファイバ収納トレイを係止する係止片が備えられ、前記光ファイバ収納トレイには引き出し方向に穿設された本体側溝部と、前記本体側溝部に係止されて取り出し方向に移動可能なスライド部とが設けられており、前記スライド部には前記本体側溝部と係止する断面が円形形状のスライド部側突起部材と前記光ファイバ収納トレイの厚さ方向に貫通して前記係止片に係止され前記引き出し方向に長い長孔とが設けられており、前記本体側溝部を前記スライド部に係止させて移動させ、さらに前記スライド部を前記係止片に係止させて移動させることで、前記光ファイバ収納トレイを全面引き出しし、さらに前記スライド部側突起部材を軸に略９０度回転させて前記引き出しの方向とは略９０度の角度をなす方向に移動させることを特徴とする。
【発明の効果】
【００２２】
以上説明の通り本発明によれば、光ファイバ収納トレイを分離することなく引き出すことが可能であり、部品点数が少なく低コストの光ファイバ収納トレイユニットを提供することが可能となる。
【発明を実施するための最良の形態】
【００２３】
本発明の好ましい実施の形態における光ファイバ収納トレイユニットについて、図面を参照して詳細に説明する。なお、同一機能を有する各構成部については、図示及び説明簡略化のため、同一符号を付して示す。
【００２４】
本発明の第１の実施の形態に係る光ファイバ収納トレイユニットを図１に示す。同図において、（ａ）は平面図、（ｂ）は側面図をそれぞれ示している。本実施形態の光ファイバ収納トレイユニット１００は、略長方形の光ファイバ収納トレイ１１０を複数枚直立させてユニット筐体１０１に収納する構造としている。光ファイバ収納トレイ１１０は、長辺を水平方向とし短辺を垂直方向にしてユニット筐体１０１に収納している。
【００２５】
本実施形態では、光ファイバ収納トレイ１１０をユニット筐体１０１に係止させるために、光ファイバ収納トレイ１１０の左右両端に係止部１１１を設けている。本実施形態の係止部１１１は、短辺に沿って所定幅で光ファイバ収納トレイ１１０の厚さ方向に貫通させた長孔１１２を有している。長孔１１２の長さは適宜決定することができるが、略短辺の長さと等しくするかそれより長くすることで、光ファイバ収納トレイ１１０の全面をユニット筐体１０１から引き出すことが可能となる。本実施形態では、光ファイバ収納トレイ１１０の左右両端下部に凸部１１３を設けることで、長孔１１２の長さが光ファイバ収納トレイ１１０の短辺の長さより長くなるようにしている。
【００２６】
一方、ユニット筐体１０１には、光ファイバ収納トレイ１１０と直交する方向に２本の係止片１０２を備えている。２本の係止片１０２は、光ファイバ収納トレイ１１０に設けられた左右の長孔１１２をそれぞれ貫通しており、それぞれの両端がユニット筐体１０１に固定されている。本実施形態では、係止片１０２を円柱形状としているが、これに限られず、例えば角柱形状としてもよい。
【００２７】
上記のように構成された本実施形態の光ファイバ収納トレイユニット１００では、光ファイバ収納トレイ１１０をユニット筐体１０１に係止するために必要な部品が、光ファイバ収納トレイ１１０のそれぞれに設けた長孔１１２と、ユニット筐体１０１側に設けた係止片１０２のみとなり、部品点数の大幅な削減が実現できている。
また、ユニット筐体１０１に収納された全ての光ファイバ収納トレイ１１０が、長孔１１２に貫通された係止片１０２によってユニット筐体１０１に係止されていることから、光ファイバ収納トレイ１１０を引き出してもユニット筐体１０１から分離されることはない。これにより、光ファイバ収納トレイ１１０を破損してしまったり、これに導入配線されている光ファイバを損傷させてしまう等の事態を回避することが可能となる。  
【００２８】
本発明の第２の実施の形態に係る光ファイバ収納トレイユニットを図２に示す。同図において、（ａ）は平面図、（ｂ）は側面図をそれぞれ示している。本実施形態の光ファイバ収納トレイユニット２００では、光ファイバ収納トレイ２１０の左右両端に設けられた係止部２１１の構造が第１の実施形態と異なっている。
【００２９】
本実施形態の係止部２１１は、光ファイバ収納トレイ２１０の本体に固定された本体側係止部と、この本体側係止部に係止されて光ファイバ収納トレイ２１０の短辺に平行に移動可能なスライド部２２０とから構成されている。本体側係止部は、光ファイバ収納トレイ２１０の短辺の側面から突出させて形成した本体側突起部材２１２で形成している。本体側突起部材２１２の形状は特に限定されないが、本実施例では直方体とした。
【００３０】
スライド部２２０には、本体側突起部材２１２を挿入するためのスライド部側溝部２２１が穿設されており、本体側突起部材２１２をスライド部側溝部２２１に挿入して光ファイバ収納トレイ２１０の短辺に沿って移動可能に構成している。また、ユニット筐体１０１に固定された係止片１０２に係止するための長孔２２２はスライド部２２０に形成されており、スライド部２２０がユニット筐体１０１に係止されて移動可能となっている。
【００３１】
上記のように構成された本実施形態の光ファイバ収納トレイユニット２００では、スライド部２２０が係止片１０２に係止されて移動し、さらに本体側突起部材２１２がスライド部２２０に係止されてスライド部側溝部２２１を移動することで、光ファイバ収納トレイ２１０の引き出し距離を長くすることが可能となり、光ファイバ収納トレイ２１０を全面引き出しすることも容易に実現できる。
【００３２】
光ファイバ収納トレイ２１０を全面引き出し可能とするためには、本体側突起部材２１２がスライド部側溝部２２１を移動可能な距離と、係止片１０２が長孔２２２を移動可能な距離との合計が、光ファイバ収納トレイ２１０の短辺長さより長くすればよい。
【００３３】
なお、本実施形態では、光ファイバ収納トレイ２１０の本体側係止部として本体側突起部材２１２を設け、スライド部２２０にはスライド部側溝部２２１を設けることで、本体側突起部材２１２とスライド部側溝部２２１とを係止させるようにしているが、これとは逆に、光ファイバ収納トレイ２１０の本体側係止部として本体側溝部を設け、スライド部２２０にはスライド部側突起部材を設けるようにしてもよい。
【００３４】
本実施形態の光ファイバ収納トレイユニット２００では、光ファイバ収納トレイ２１０の全面引き出しを容易に実現するために、光ファイバ収納トレイ２１０毎にスライド部２２０を設けているが、光ファイバ収納トレイの全面引き出し可能な従来の光ファイバ収納トレイユニットと比較して、必要な部品点数を大幅に削減できている。また、本実施形態においても、光ファイバ収納トレイ２１０を引き出してもユニット筐体１０１から分離されることはなく、光ファイバ収納トレイ２１０を破損してしまったり、これに導入配線されている光ファイバを損傷させてしまう等の事態を回避することが可能となる。
【００３５】
本発明の第３の実施の形態に係る光ファイバ収納トレイユニットを図３に示す。同図において、（ａ）は平面図、（ｂ）は側面図をそれぞれ示している。本実施形態の光ファイバ収納トレイユニット３００は、第２の実施形態の光ファイバ収納トレイユニット２００と同様に、光ファイバ収納トレイ３１０の左右両端に設けられた係止部３１１が、本体側係止部である本体側突起部材３１２とスライド部２２０とから構成されている。
【００３６】
第２の実施形態の光ファイバ収納トレイユニット２００では、本体側突起部材２１２の形状を直方体としていた。これに対し、本実施形態では、本体側突起部材３１２の形状を断面が円形となるものとしており、図３では本体側突起部材３１２の形状を円柱としている。
【００３７】
本体側突起部材２１２の形状を直方体とした場合は、本体側突起部材２１２を本体側溝部に対してある程度小さくしないと本体側突起部材３１２を軸に光ファイバ収納トレイ３１０を回転することができないが、上記のように、本体側突起部材３１２の断面を円形とすることで、光ファイバ収納トレイ３１０を確実に固定しつつ、光ファイバ収納トレイ３１０を全面引き出ししたとき、本体側突起部材３１２を軸に光ファイバ収納トレイ３１０を回転させることが可能となる。光ファイバ収納トレイ３１０は、本体側突起部材３１２を軸にいずれの方向にも回転させることが可能となり、全面引き出しした光ファイバ収納トレイ３１０を水平にして光ファイバ収納トレイユニット３００の上に載置することができる。これにより、作業台を別に用意することなく、作業性を高めることが可能となる。
【００３８】
本実施形態でも、第２の実施形態と同様に、光ファイバ収納トレイの全面引き出し可能な従来の光ファイバ収納トレイユニットと比較して、必要な部品点数を大幅に削減できている。また、光ファイバ収納トレイ３１０を引き出してもユニット筐体１０１から分離されることはなく、光ファイバ収納トレイ３１０を破損してしまったり、これに導入配線されている光ファイバを損傷させてしまう等の事態を回避することが可能となる。
【００３９】
また、本実施形態では、引き出した光ファイバ収納トレイ３１０を回転させ、ユニット筐体３０１に挿入されている他の光ファイバ収納トレイ３１０の上に載せて作業を行うことが可能なことから、別途作業台を用意する必要がないといった効果も得られる。
【００４０】
本発明の第４の実施の形態に係る光ファイバ収納トレイユニットを図４に示す。同図において、（ａ）は平面図、（ｂ）は側面図をそれぞれ示している。本実施形態の光ファイバ収納トレイユニット４００では、本体側係止部として光ファイバ収納トレイ４１０の短辺の側面に本体側溝部４１２を穿設しており、スライド部４２０にはスライド部側突起部材４２１を設けている。
【００４１】
すなわち、本実施形態では、第２の実施形態及び第３の実施形態とは逆に、本体側係止部として本体側溝部４１２を設け、スライド部４２０にはスライド部側突起部材４２１を設けるようにしている。また、スライド部側突起部材４２１の形状を、第３の実施形態の本体側突起部材３１２と同様に、断面が円形のものに限定しており、図４に示すスライド部側突起部材４２１では、形状を円柱としている。
【００４２】
上記のように、断面が円形のスライド部側突起部材４２１をスライド部４２０に設け、光ファイバ収納トレイ４１０側には本体側溝部４１２を設けることで、第３の実施形態と同様に、光ファイバ収納トレイ４１０を確実に固定しつつ、全面引き出しして回転させることが可能となるだけでなく、光ファイバ収納トレイ４１０を水平方向に回転させた後に、これを水平方向に移動させることも可能となる。
【００４３】
これにより、ユニット筐体１０１に挿入されているいずれの光ファイバ収納トレイ４１０であっても、全面引き出しして水平方向に回転させた後に、当該光ファイバ収納トレイ４１０を光ファイバ収納トレイユニット４００上のいずれの位置（例えば中心位置）にもスライドさせて載置することが可能となる。
【００４４】
図４に示す本実施形態の光ファイバ収納トレイユニット４００では、スライド部側突起部材４２１をスライド部４２０の上端部よりも中央側に設けている。そのため、光ファイバ収納トレイ４１０を全面引き出しして水平方向に回転させたとき、スライド部４２０のスライド部側突起部材４２１の位置よりも上側の部分が水平方向に回転させた光ファイバ収納トレイ４１０よりも上に突き出てしまう。
【００４５】
そこで、図５に示すように、スライド部側突起部材４２１をスライド部４２０の上端部に設けることにより、光ファイバ収納トレイ４１０を全面引き出しして水平方向に回転させたとき、水平方向に回転させた光ファイバ収納トレイ４１０よりも上にスライド部側突起部材４２１が突き出ないようにすることができる。図５は、スライド部側突起部材４２１を上端部に設けたスライド部４２０の（ａ）平面図及び（ｂ）側面図を示している。
【００４６】
また、本体側溝部４１２の長さを、光ファイバ収納トレイ４１０の長辺にできるだけ近い位置まで長くすることにより、光ファイバ収納トレイ４１０を全面引き出しして水平方向に回転させた後、光ファイバ収納トレイ４１０を一方にスライドさせることで、光ファイバ収納トレイ４１０が他の光ファイバ収納トレイ４１０上から突き出る長さを短くすることができる。
【００４７】
本実施形態の光ファイバ収納トレイユニット４００では、２枚以上の光ファイバ収納トレイ４１０をユニット筐体１０１から同時に引き出すことが可能であるが、上記のように本体側溝部４１２の長さをできるだけ長くした場合には、図６に例示するように、比較的近くに挿入されている２枚の光ファイバ収納トレイ４１０でも、同時に引き出してともに水平にすることが可能となる。このように、２枚の光ファイバ収納トレイ４１０を同時に水平にして作業が行えるようにすることにより、例えば一方の光ファイバ収納トレイ４１０から他方の光ファイバ収納トレイ４１０に光ファイバを移し替える等の作業が容易に行えるようになり、光ファイバに損傷を与える等の危険性を低減することが可能となる。
【００４８】
本実施形態でも、第２の実施形態及び第３の実施形態と同様に、光ファイバ収納トレイの全面引き出し可能な従来の光ファイバ収納トレイユニットと比較して、必要な部品点数を大幅に削減できている。また、光ファイバ収納トレイ４１０を引き出してもユニット筐体１０１から分離されることはなく、光ファイバ収納トレイ４１０を破損してしまったり、これに導入配線されている光ファイバを損傷させてしまう等の事態を回避することが可能となる。
【００４９】
また、本実施形態では、引き出した光ファイバ収納トレイ４１０を回転させ、ユニット筐体４０１に挿入されている他の光ファイバ収納トレイ４１０の上に載せて作業を行うことが可能なことから、別途作業台を用意する必要がないといった効果も得られる。特に、本実施形態では、光ファイバ収納トレイ４１０を全面引き出しして回転させた後に、水平方向に移動させることも可能なことから、例えばユニット筐体１０１の端部に挿入された光ファイバ収納トレイ４１０のように、光ファイバ収納トレイ４１０を全面引き出しして回転させたとき、下部に他の光ファイバ収納トレイ４１０がない場合でも、引き出した光ファイバ収納トレイ４１０を水平方向に移動させて、他の光ファイバ収納トレイ４１０の上に載置させることが可能となる。
【００５０】
なお、本実施の形態における記述は、本発明に係る光ファイバ収納トレイユニット及び光ファイバ収納トレイ取り出し方法の一例を示すものであり、これに限定されるものではない。本実施の形態における光ファイバ収納トレイユニット及び光ファイバ収納トレイ取り出し方法の細部構成及び詳細な動作等に関しては、本発明の趣旨を逸脱しない範囲で適宜変更可能である。
【図面の簡単な説明】
【００５１】
【図１】本発明の第１の実施形態に係る光ファイバ収納トレイユニットの構造を示す図である。
【図２】本発明の第２の実施形態に係る光ファイバ収納トレイユニットの構造を示す図である。
【図３】本発明の第３の実施形態に係る光ファイバ収納トレイユニットの構造を示す図である。
【図４】本発明の第４の実施形態に係る光ファイバ収納トレイユニットの構造を示す図である。
【図５】第４の実施形態に係る光ファイバ収納トレイユニットのスライド部の構造を示す図である。
【図６】２枚の光ファイバ収納トレイをユニット筐体から同時に引き出して水平にした状態を示す側面図である。
【図７】従来の光ファイバ収納トレイユニットの構造を示す図である。
【図８】従来の光ファイバ収納トレイユニットで用いる作業台を示す図である。
【図９】従来の別の光ファイバ収納トレイユニットの構造を示す図である。
【符号の説明】
【００５２】
１００、２００、３００、４００    光ファイバ収納トレイユニット
１０１    ユニット筐体
１０２    係止片
１１０、２１０、３１０、４１０    光ファイバ収納トレイ
１１１、２１１、３１１    係止部
１１２、２２２    長孔
１１３    凸部
２１２、３１２    本体側突起部材
２２０、４２０    スライド部
２２１    スライド部側溝部
４１２    本体側溝部
４２１    スライド部側突起部材
９００、９１０    光ファイバ収納トレイユニット
９０１、９１１    光ファイバ収納トレイ
９０２    ユニット筐体
９０３    底部
９０４    ピン
９０５    凸部
９０６    作業台
９１２    ユニット筐体
９１３    レール
９１４    支持板
９１５    軸部材
【図１】
2008180806.tif 000003
【図２】
2008180806.tif 000004
【図３】
2008180806.tif 000005
【図４】
2008180806.tif 000006
【図５】
2008180806.tif 000007
【図６】
2008180806.tif 000008
【図７】
2008180806.tif 000009
【図８】
2008180806.tif 000010
【図９】
2008180806.tif 000011